(57)【特許請求の範囲】
【請求項１】
足の踏ん張りに必要な部分に対応する靴下の編立部に、１又は複数コース毎に追加編目を追加することを繰り返すことにより形成される編目増加部分を筒編により編み立てて設け、前記編目増加部分と前記編目増加部分以外の部分の編目数に差を設けたことを特徴とする靴下。
【請求項２】
足の踏ん張りに必要な部分である母趾の先端から第１関節までの裏側部分に対応する靴下の編立部に、１又は複数コース毎に追加編目を追加することを繰り返すことにより形成される編目増加部分を設け、前記編目増加部分と前記編目増加部分以外の部分の編目数に差を設けたことを特徴とする靴下。
【請求項３】
前記追加編目は、一端が前記編目増加部分以外の部分の編目と連続し、他端が折り返し端であることを特徴とする請求項１又は２に記載の靴下。
【請求項４】
前記追加編目は、両端が折り返し端であることを特徴とする請求項１又は２に記載の靴下。
【請求項５】
前記追加編目は、一端が編目始端又は編目終端であり、他端が折り返し端であることを特徴とする請求項１又は２に記載の靴下。
【請求項６】
前記追加編目は、一端が編目始端であり、他端が編目終端であることを特徴とする請求項１又は２に記載の靴下。
【請求項７】
足の踏ん張りに必要な部分に対応する靴下の編立部に、１又は複数コース毎に追加編目を有する編目増加部分を設け、前記編目増加部分と前記編目増加部分以外の部分の編目数に差を設け、
前記追加編目は、一端が編目始端又は編目終端であり、他端が折り返し端であることを特徴とする靴下。
【請求項８】
足の踏ん張りに必要な部分に対応する靴下の編立部に、１又は複数コース毎に追加編目を有する編目増加部分を設け、前記編目増加部分と前記編目増加部分以外の部分の編目数に差を設け、
前記追加編目は、一端が編目始端であり、他端が編目終端であることを特徴とする靴下。
【請求項９】
前記編目増加部分の前記追加編目の一部又は全部の編糸、又は前記追加編目以外の編目の一部又は全部の編糸は、前記編目増加部分以外の編糸と異なることを特徴とする請求項１から８のいずれかに記載の靴下。
【請求項１０】
前記編目増加部分の前記追加編目の一部又は全部の編糸、又は前記追加編目以外の編目の一部又は全部の編糸は、前記編目増加部分以外の編糸より摩擦係数の大きい糸であることを特徴とする請求項９に記載の靴下。
【請求項１１】
前記編目増加部分の前記追加編目の一部又は全部の編糸、又は前記追加編目以外の編目の一部又は全部の編糸は、前記編目増加部分以外の編糸より太い糸であることを特徴とする請求項９に記載の靴下。
【発明の詳細な説明】
【技術分野】
【０００１】
本発明は、足指の裏側の先端から第１関節までの部分、母趾球、小趾球などの指の付け根部分、アキレス腱のような張り出し部分に沿った形状を有し、足の踏ん張りが効く靴下に関するものである。
【背景技術】
【０００２】
人の足は、断面を見ても略円形、略楕円形、扁平な略長円形、略三角形等複雑な形状を有し、さらに単純な形でない足指やアキレス腱のような出っ張った部分も存在する。それに対して靴下は、筒編による円筒状の編立構造の脚部と足部に、正逆転編による目減らし、目増やしによる台形状の編立構造の踵部と爪先部が連続して編み立てられている。このため、複雑な形状の足に対して、ある部分は生地が余ってフィットせず、ある部分は生地が足らず突っ張った状態になり、靴下によって足の本来の運動機能を低下させることになる。
【０００３】
足の裏側には、手における指紋のようなものがあり、その凹凸によって摩擦係数が高く、滑りにくくなっており、さらに足指は５本それぞれ独立して動かすことで踏ん張り易くなっている。それに対して、靴下は、一般に、足裏側も甲部側も同素材で形成され、５本の足をまとめて包む込む構造であるから、足の本来の踏ん張り機能を妨げている。このため、従来の靴下は、クッション性、緩衝性により足を保護する機能、保温性や吸汗性により足を清潔に保つ機能などの利点があるにも拘わらず、足本来の運動機能を低下させるものとなっている。
【０００４】
足の踏ん張り性などの足の運動機能を向上させたものとして、５本指形状の靴下や、母趾とそれ以外の指を入れる２つの足指部に分かれたいわゆる足袋（たび）形の靴下も普及している。しかし、これらは、穿く、脱ぐ、洗濯する、表返す（裏返す）のが面倒であり、穿いたときの見栄えが悪いため、身体の柔軟性に欠ける高齢者や時間を惜しむ忙しい人、女性などファッションセンスを気にする人には、敬遠される。また、このような靴下は、５本の足指間の計８枚分の生地が一般的な靴下よりも余分にあるため、靴下を穿いた足の幅が大きくなり、靴が履けなくなったり、足の形の見栄えや大きさを気にする人には穿かれないものであった。
【０００５】
また、特許文献１には、爪先部の正逆転編において端縁での目増やし、目減らしを組み合わせることにより、爪先部の親指側の厚みを小指側より増加する厚み増加用編立部分を設けた靴下が提案され、実用化されているが、母趾側の生地が増して突っ張りがなくなる効果はあるものの、足の踏ん張り性などの運動機能を持たせるものではない。
【０００６】
特許文献２には、足底側つま先領域の所要位置に針下げ領域（目増やし部分）と針上げ領域（目減らし部分）をコース方向に並設し、いずれか一方を摩擦抵抗値が高い機能糸で編成してグリップ力を高めた機能部とした靴下が提案されている。この目減らしによる台形と目増やしによる逆台形をコース方向に並設した機能部は、平面的な形状しか得られず、高価で編立の難しい高摩擦糸、高耐久糸などの機能糸を使用することでその機能を発揮するだけである。
【０００７】
特許文献３には、爪先部の足指の長さ方向における中間部に足指の下半分を覆う膨らみ部を形成した靴下が提案されている。この膨らみ部は、足指を爪先部に挿入する際に足指に沿って変形し、挿入が容易になるとともに、締め付け感が軽減されるとされているが、この膨らみ部は目減らし部分と目増やし部分からなる突出した部分であり、外観が悪く、靴下と足裏との滑りを防止する効果はない。
【０００８】
特許文献４には、足指領域を靴下の中心線に沿って延びる境界線により弾性、強さ、摩擦等の性質により識別された少なくとも２つのサブ領域に分割した靴下が提案されている。この靴下は、境界線を境にしてループを含む部分とループを含まない部分からなる編目を繰り返して形成したものであるが、各サブ領域は性質が異なるが、編目の変化のない通常の平面的な編目であり、色やパターンのバリエーションをもたせたものに過ぎない。
【先行技術文献】
【特許文献】
【０００９】
【特許文献１】特開平１１−０２１７０３号公報
【特許文献２】特開２０１１−２５６５０６号公報
【特許文献３】特許第３８８３５５３号明細書
【特許文献４】特表２０１０−５１１１０８号公報
【発明の概要】
【発明が解決しようとする課題】
【００１０】
本発明は、前記従来の問題点に鑑みてなされたもので、簡易な編み立てにより製編することができ、靴下と足裏との滑りがない踏ん張り性の高い靴下を提供することを課題とする。
【課題を解決するための手段】
【００１１】
前記課題を解決するために、本発明は、第１の解決手段として、
足の踏ん張りに必要な部分に対応する靴下の編立部に、１又は複数コース毎に追加編目を追加することを繰り返すことにより形成される編目増加部分を筒編により編み立てて設け、前記編目増加部分と前記編目増加部分以外の部分の編目数に差を設けたものである。
また、第２の解決手段として、足の踏ん張りに必要な部分である母趾の先端から第１関節までの裏側部分に対応する靴下の編立部に、１又は複数コース毎に追加編目を追加することを繰り返すことにより形成される編目増加部分を設け、前記編目増加部分と前記編目増加部分以外の部分の編目数に差を設けたものである。
ここで、編目増加部分とは、丸編機により編み立てられるウェール方向の編目の数が他の部分よりも増加している部分をいう。追加編目は、編目増加部分において、当該編目増加部分以外の部分の編目に対して追加されている編目である。すなわち、編目増加部分は追加編目を有する部分である。
【００１２】
編目増加部分と編目増加部分以外の部分との間には編目数の差による編み生地の量の差があるので、コース方向及びウェール方向の両方に編目増加部分以外の部分との間に緩やかな段差が生じ、母趾、第２−４趾、小趾の各足指の裏側の先端から第１関節まで（以下、足指の裏側部分という。）、母趾球、小趾球、アキレス腱などの足の踏ん張りに必要な部分を包み込んでホールドする編地構造となり、靴と靴下の間だけでなく靴下と足との間の滑りも減少し、足の踏ん張り性が高まる。
【００１３】
前記追加編目は、一端が前記編目増加部分以外の部分の編目と連続し、他端が折り返し端であるもの、両端が折り返し端であるもの、一端が編目始端又は編目終端であり、他端が折り返し端であるもの、あるいは一端が編目始端であり、他端が編目終端であるものとすることができる。
【００１４】
前記編目増加部分の前記追加編目の一部又は全部の編糸、又は前記追加編目以外の編目の一部又は全部の編糸は、前記編目増加部分以外の編糸と異なることが好ましい。この場合、前記編目増加部分の編糸は、前記編目増加部分以外の編糸より摩擦係数の大きい糸、あるいは、前記編目増加部分以外の編糸より太い糸にすることができる。
【発明の効果】
【００１５】
本発明によれば、足の踏ん張りに必要な部分に対応する編立部に追加編目を有する編目増加部分を設け、編目増加部分と編目増加部分以外の部分の編目数に差を設けたので、コース方向及びウェール方向の両方に足の踏ん張りが効き、また編目増加部分と編目増加部分以外の部分との間には編目数の差による編み生地の量の差があるので、コース方向及びウェール方向の両方に追加編目以外の部分との間に緩やかな段差が生じ、足指の裏側部分、母趾球、小趾球、アキレス腱などの足の踏ん張りに必要な部分を包み込むので、靴と靴下の間だけでなく靴下と足との間の滑りも減少し、足の踏ん張り性が高まるという効果を有している。
【図面の簡単な説明】
【００１６】
【図１】本発明に係る編目増加部分を有する靴下を足裏側から見た図。
【図２】他の形態の編目増加部分を有する爪先部の足裏側から見た図。
【図３】さらに他の形態の編目増加部分を有する爪先部の足裏側から見た図。
【図４】編目増加部分の拡大図（Ａ）、コース方向の断面図（Ｂ）、及びウェール方向の断面図（Ｃ）。
【図５】図１のＡ−Ａ線断面図（Ａ）、Ｂ−Ｂ線断面図（Ｂ）、Ｃ−Ｃ線断面図（Ｃ）、Ｄ−Ｄ線断面図（Ｄ）。
【図６】筒編による編目増加部分の編構造（Ａ）及びその変形例（Ｂ）を示す図。
【図７】筒編による２箇所の編目増加部分の編構造を示す図。
【図８】異なる編糸を用いた筒編による編目増加部分の編構造（Ａ）及びその変形例（Ｂ）を示す図。
【図９】正逆転編による編目増加部分の編構造を示す図。
【図１０】異なる編糸を用いた正逆転編による編目増加部分の編構造を示す図。
【図１１】異なる編糸を用いた正逆転編による編目増加部分の編構造の変形例を示す図。
【図１２】異なる編糸を用いた正逆転編による編目増加部分の編構造の他の変形例を示す図。
【図１３】異なる編糸を用いた正逆転編による編目増加部分の編構造の他の変形例を示す図。
【図１４】異なる編糸を用いた正逆転編による編目増加部分の編構造の他の変形例を示す図。
【図１５】爪先部の各足指部に対応する部分に編目増加部分を有する本発明に係る靴下の足に穿いた状態を示す図。
【図１６】本発明の靴下を穿いた爪先部の断面図（Ａ）と従来の靴下を穿いた爪先部の断面図（Ｂ）。
【図１７】アキレス腱に対応する部分に編目増加部分を有する本発明に係る靴下の足に穿いた状態を示す図。
【発明を実施するための形態】
【００１７】
次に、本発明の実施の形態を添付図面に従って説明する。  
【００１８】
図１は、本発明に係る靴下１を足裏側から見た図である。この靴下１は、脚部２、踵部３、足部４、爪先部５で構成され、丸編機により、図示しない穿き口から筒編で脚部２を編み立て、正逆転編で踵部３を編み立て、さらに筒編で足部４を編み立て、正逆転編で爪先部５を編み立てた後、甲部側に形成される爪先部５の編終端と足部４の編終端とを逢着して形成される。
【００１９】
本発明の靴下１には、足の踏ん張りに必要な部分に対応する靴下１の編立部に編目増加部分６，７，８，９が設けられている。爪先部５の足裏側の各編目増加部分６ａ、６ｂ、６ｃ、６ｄ、６ｅは、各足指の裏側部分に対応する。足部４の内側の足裏側の編目増加部分７は母趾球に対応し、足部４の外側の足裏側の編目増加部分８は小趾球に対応する。脚部２の下部後側の編目増加部分９はアキレス腱に対応する部分である。
【００２０】
爪先部５は、図２に示すように、母趾の裏側部分に対応する編目増加部分６ａと、母趾以外の足指の裏側部分に対応する編目増加部分６ｆとを設けてもよいし、図３に示すように、母趾、第２−４趾、小趾の全ての足指の裏側部分に対応する編目増加部分６ｇを連続して設けてもよい。
【００２１】
各編目増加部分６，７，８，９（以下、これらをまとめて符号１０を附す）は、図４（Ａ）に示すように、１又は複数コース毎に追加編目１３を有する。すなわち、あるコースの編目１１と次のコースの編目１２との間に所定長さの追加編目１３を有する。図４では、１コース毎に追加編目１３を有するが、２コースまたはそれ以上のコース毎に追加編目１３を設けてもよい。また、コースとコースの間の追加編目１３は１つに限らず２以上設けてもよい。追加編目１３のコース方向の長さ及びウェール方向の数は、足の対応する部分の形状に合わせて決定する。追加編目１３の一端を結ぶ境界線Ｘ１と、追加編目１３の他端を結ぶ境界線Ｘ２の間が編目増加部分１０となる。境界線Ｘ１，Ｘ２は、コース方向に直角な直線、傾斜した直線、あるいは曲線であってもよい。
【００２２】
編目増加部分１０は、編目増加部分１０以外の部分との間に編目数に差があるため、図４（Ｂ）、（Ｃ）に示すように、編目増加部分１０と編目増加部分１０以外の部分との間のコース方向およびウェール方向の境界部分に緩やかな段差１４が生じる。このため、
爪先部５の編目増加部分６ａ〜６ｅは、図５（Ａ）、（Ｂ）に示すように、各足指の裏側部分が周囲よりも隆起した状態に形成される。母趾球及び小趾球の編目増加部分７，８も、図５（Ｃ）に示すように、周囲よりも隆起した状態に形成される。アキレス腱の編目増加部分９は、図５（Ｄ）に示すように、アキレス腱の上下左右が周囲よりも隆起した状態に形成される。
【００２３】
編目増加部分１０の追加編目１３又は追加編目１３以外の編目の一部又は全部の編糸は、編目増加部分１０以外の編目の編糸と同じでもよいが、摩擦係数が大きい編糸、太さが太い編糸、弾性のある編糸、強度の強い編糸など性状の異なる編糸にして踏ん張り性をより向上するようにしてもよいし、色の異なる編糸にして踏ん張り性などの機能性をアピールするようにしてもよい。
【００２４】
追加編目１３の両端の形態としては、一端が編目増加部分１０以外の部分の編目と連続し、他端が折り返し端であるもの、両端が折り返し端であるもの、一端が編目始端又は編目終端であり、他端が折り返し端であるもの、あるいは一端が編目始端であり、他端が編目終端であるものとすることができる。
【００２５】
以下、このような追加編目の種々の形態を有する編目増加部分の編構造を具体的に説明する。
【００２６】
図６（Ａ）は、筒編により脚部２や足部４に設けられる編目増加部分７，８の編構造を示す。この編目増加部分は、一端が編目増加部分以外の部分の編目と連続し、他端が折り返し端ｔ２である追加編目を有する（図中○印で示す）。図中左から右のコース方向に編み立てて編目１を形成し、編目１の途中の第１折り返し端ｔ１で折り返し、逆のコース方向に編み立てて編目２を形成し、１周りして編目３を形成し、そのコースにおいて前のコースの第１折り返し端ｔ１のコース方向の位置を所定長さ越えたところの第２折り返し端ｔ２で折り返して編目４を形成し、元のコース方向に編み立てる。
【００２７】
このようにして、コースの途中で第１、第２折り返し端ｔ１、ｔ２を形成し、これを繰り返すことで、複数の第１折り返し端ｔ１と複数の第２折り返し端ｔ２を形成する。これにより、複数の第１折り返し端ｔ１を結ぶ第１境界線ｘ１と、複数の第２折り返し端ｔ２を結ぶ第２境界線ｘ２との間に、編目増加部分が形成される。ここでは、通常の筒編によって編み込まれた場合より余分に編込まれた編目３、４を追加編目とする。この場合、編目増加部分以外の編目数と編目増加部分の編目数の比は、２：４である。なお、編目２と編目３の間に１周の編目を入れることで、３：５とすることができ、さらに編目４の後にもう１周の編目を入れることで、４：６とすることもできる。
【００２８】
図６（Ｂ）は、図５（Ａ）の場合のように第１折り返し端ｔ１から編目２を編み立てて１周せずに、編目２のコースの途中で第２の折り返し端ｔ２を形成する編目増加部分の編構造を示す。この編目増加部分は、両端が折り返し端ｔ１、ｔ２である追加編目２と、一端が編目増加部分以外の部分の編目と連続し、他端が折り返し端ｔ２である追加編目３とを有する（図中○印で示す）。この場合、編目増加部分以外の編目数と編目増加部分の編目数の比は、１：３である。
【００２９】
図７は、編目増加部分をコース方向に２箇所形成する編構造を示す。すなわち、図６（Ａ）の編目増加部分と同様の第１編目増加部分を図中左側の第１、第２境界線ｘ１，ｘ２の間に編み立てた後、右側の第３、第４境界線ｘ３，ｘ４の間に第２編目増加部分を形成し、これを交互に繰り返すことで、例えば、図１に示す母趾球と小趾球に対応する２箇所の編目増加部分を形成することができる。
【００３０】
図８（Ａ）は、筒編による異なる２つの編糸を用いた追加編目を有する編目増加部分の編構造を示す。この編目増加部分は、一端が編目始端ｓ又は編目終端ｅであり、他端が折り返し端ｔ２である追加編目を有する（図中○印で示す）。編立のパターンは図６（Ａ）と同様であるが、編目１の第２境界線ｘ２の位置で第１編糸から第２編糸に切り換えて編目始端ｓとし、第１境界線ｘ１の位置の折り返し端ｔ1で同じ第２編糸で折り返して編目２を形成し、編目２の第２境界線ｘ２の位置で編目終端ｅとして第１編糸に戻し、１周して編目３を形成する。この編目３のコースにおいて、編目３の第１境界線ｘ１の位置で第１編糸から第３編糸に切り換えて編目始端ｓとし、第２境界線ｘ２の位置の折り返し端ｔ２で同じ第３編糸で折り返して編目４を形成し、編目４の第１境界線ｘ１の位置で編目終端ｅとして第１編糸に戻し、１周して編目１と同じ状態に戻す。これを繰り返すことで、第１編糸と異なる２つの第２編糸、第３編糸による追加編目を有する編目増加部分を設けることができる。この場合、編目増加部分以外の編目数と編目増加部分の編目数の比は、２：４である。なお、編目２から編目（１）への第２編糸の渡り、及び編目４から編目（３）への第３編糸の渡りが生じるが、これらの編糸の渡りは、第２境界線ｘ２上及び第１境界線ｘ１上で、かつ、２つの編目を飛ばして最短距離で行われるので、目立たず、編み生地の伸縮についても最低限の影響に止めることができ、またこの編糸の渡りは、靴下を穿く方向にあるので爪等に引っ掛かることはない。さらに、編目始端ｓ及び編目終端ｅを編目増加部分の外側に１目ずらせば、編目を飛ばすことなく、従って糸の渡りもなく編目増加部分を形成することもできる。
【００３１】
図８（Ｂ）は、折り返す毎に第２編糸から第３編糸に切り換える編目増加部分の編構造を示す。この編目増加部分は、一端が編目始端ｓであり、他端が編目終端ｅである追加編目を有する（図中○印で示す）。編立のパターンは、図８（Ａ）と同様であるが、編目１から編目２への折り返し、編目３から編目４への折り返しで第２編糸から第３編糸に切り換えている。折り返し端で瞬時に糸の切り換えを行うのは困難であるので、折り返しの前後に空編状態（図中点線で示す）を設けて、編目終端ｅ、編目始端ｓとしている。この場合も、編目増加部分以外の編目数と編目増加部分の編目数の比は、２：４である。なお、編目１から編目３、編目３から編目（１）、編目（１）から（３）への第２編糸の渡り、編目２から編目４、編目４から編目（２）、編目（２）から編目（４）への第３編糸の渡りが生じるが、これらの糸の渡りは第２境界線ｘ２上及び第１境界線ｘ１上で、かつ、１つの編目を飛ばして最短距離で行われるので、より目立たない。さらに、編目始端ｓ及び編目終端ｅを編目増加部分の外側に１目ずらせば、編目を飛ばすことなく、従って糸の渡りもなく編目増加部分を形成することもできる。
【００３２】
図９は、正逆転編により爪先部５に設けられる編目増加部分６の編構造を示す。この編目増加部分は、一端が編目増加部分以外の部分の編目と連続し、他端が折り返し端ｔ２である追加編目を有する（図中○印で示す）。図中左の端縁ａ１から右のコース方向に編み立てて編目０を形成し、右の端縁ｂ１で左に折り返して編目１を形成し、左の端縁ａ２で右に折り返して編目２を形成し、この編目２の途中の第１折り返し端ｔ１で左に折り返して編目３を形成し、左の端縁ａ３で右に折り返して編目４を形成し、右の端縁ｂ２で左に折り返して編目５を形成し、この編目５において第１折り返し端ｔ１のコース方向の位置を過ぎたところの第２折り返し端ｔ２で右に折り返して編目６を形成し、右の端縁ｂ３で左に折り返して編目１と同じ状態に戻り、これを繰り返す。
【００３３】
このようにして、コースの途中で第１折り返し端ｔ１、第２折り返し端ｔ２を形成し、これを繰り返すことで、複数の第１折り返し端ｔ１と複数の第２折り返し端ｔ２を形成する。これにより、複数の第１折り返し端ｔ１を結ぶ第１境界線ｘ１と、複数の第２折り返し端ｔ２を結ぶ第２境界線ｘ２との間に、編目増加部分が形成される。ここでは、折り返すことにより追加される編目５，６を追加編目とする。この場合、編目増加部分以外の編目数と編目増加部分の編目数の比は、４：６である。
【００３４】
図１０は、正逆転編による異なる編糸を用いた追加編目を有する編目増加部分の編構造を示す。この編目増加部分は、一端が編目始端ｓであり、他端が編目終端ｅである追加編目を有する（図中○印で示す）。第１編糸を使用して、左の端縁ａ１から右のコース方向に編み立てて編目１を形成し、右の端縁ｂ１で折り返して所定針分編み立てた後に空編状態で左に進む。ここで、空編状態とは、編針で編糸を引き込まない（ループを形成しない）で針釜を回動させることをいう。この空編状態の間に第１編糸から第２編糸に切り換えて、編目始端ｓで編み立てを開始し、所定の長さの編目２を形成して編目終端ｅで編み立てを終え、空編状態で数針分針釜を回動させてから右に折り返して進む。なお、可能であれば、編目終端ｅで直ちに折り返してもよい。この空編状態の間に、既に形成した編目２のコースにおける第１編糸から第２編糸に切り換えた位置で数針分空編状態で針釜を回動させてから左に折り返し、第２編糸から第１編糸に切り換え、前の編目と編み重ねて、引き続き第１編糸で編み立てて編目３を形成し、左の端縁ａ２で折り返して、所定針分編み立てた後に空編状態で右に進む。この空編状態の間に第１編糸から第２編糸に切り換えて、編目始端ｓで編みを開始し、所定の長さの編目４を形成して編目終端ｅで編み立てを終え、空編状態で数針分針釜を回動させてから左に折り返して進む。この空編状態の間に、既に形成した編目４のコースにおける第１編糸から第２編糸に切り換えた位置で数針分空編状態で針釜を回動させてから、第２編糸から第１編糸に切り換え、前の編目と編み重ねて、編目１と同じ状態に戻り、これを繰り返す。追加編目２の編目終端ｅと次の追加編目４の編目始端ｓの間、および追加編目４の編目終端ｅと次の追加編目（２）の編目始端ｓの間には、第２編糸の渡りが発生するが、ウェール方向に１目だけ飛ばし最短距離で行われるので、目立たない。
【００３５】
このようにして、正逆転編の端縁から折り返して所定針分編み立てた後に空編状態で進み第２編糸で編みを開始する編目始端ｓと、編目始端ｓから編みを進めて編み終える編目終端ｅとを設け、これを繰り返す。これにより、複数の編目始端ｓ、編目終端ｅを結ぶ第１境界線ｘ１と、複数の編目終端ｅ、編目始端ｓを結ぶ第２境界線ｘ２との間に、編目増加部分が形成される。この場合、編目増加部分以外の編目数と編目増加部分の編目数の比は、２：４であり、１コース毎に１目の追加編目を有する。
【００３６】
図１１は、正逆転編による異なる編糸を用いた追加編目を有する編目増加部分の編構造の変形例を示す。この編目増加部分は、一端が編目始端ｓであり、他端が編目終端ｅである追加編目を有する（図中○印で示す）。第１編糸を使用して、左の端縁ａ１から右のコース方向に編み立てて編目１を形成し、右の端縁ｂ１で折り返して編目２を形成し、左の端縁ａ２で折り返して所定針分編み立てた後に空編状態で右に進む。この空編状態の間に第１編糸から第２編糸に切り換えて、編目始端ｓで編みを開始し、所定の長さの編目３を形成して編目終端ｅで編み立てを終え、空編状態で数針分針釜を回動させてから左に折り返して空編状態で左に進む。この空編状態の間に既に形成した編目３のコースにおける第１編糸から第２編糸に切り換えた位置で数針分空編状態で針釜を回動させてから右に折り返し、第２編糸から第１編糸に切り換えて、前の編目と編み重ねて、引き続き第１編糸で編目４を形成し、右の端縁ｂ２で折り返して編目５を形成し、左の端縁ａ３で折り返して所定針分編み立てた後に空編状態で右に進む。この空編状態の間に、既に形成した編目３の編目始端ｓを越え、さらに編目３の編目終端ｅを越えて数針分針釜を回動させてから左に折り返し、第１編糸から第２編糸に切り換えて編目３の編目終端ｅと同じ位置の編目始端ｓで編みを開始し、所定の長さの編目６を形成して編目３の編目始端ｓと同じ位置の編目終端ｅで編み終え、空編状態でさらに左に進む。この空編状態で、既に形成した編目３のコースにおける第１編糸から第２編糸に切り換えた位置で数針分空編状態で針釜を回動させてから右に折り返し、第２編糸から第１編糸に切り換え、前の編目と編み重ねて、引き続き第１編糸で編み立てて編目１と同じ状態に戻り、これを繰り返す。追加編目３の編目終端ｅと次の追加編目６の編目始端ｓの間、および追加編目６の編目終端ｅと追加編目（３）の編目始端ｓには、第２編糸の渡りが発生する。
【００３７】
このようにして、正逆転編の端縁から折り返して空編状態で進み第２編糸で編みを開始する編目始端ｓと、編目始端ｓから編みを進めて編み終える編目終端ｅとを設け、これを繰り返す。これにより、図中右側の複数の編目終端ｅ及び編目始端ｓを結ぶ第１境界線ｘ１と、図中左側の複数の編目始端ｓ及び編目終端ｅを結ぶ第２境界線ｘ２との間に、編目増加部分が形成される。この場合、編目増加部分以外の編目数と編目増加部分の編目数の比は、４：６である。２コース毎に１目の追加編目を有し、追加編目が緩やかに増加する。
【００３８】
図１２は、正逆転編による異なる編糸を用いた追加編目を有する編目増加部分の編構造の他の変形例を示す。この編目増加部分は、一端が編目始端ｓ又は編目終端ｅであり、他端が折り返し端ｔである追加編目を有する（図中○印で示す）。第１編糸を使用して、左の端縁ａ１から右のコース方向に編み立てて編目１を形成し、右の端縁ｂ１で折り返して編目２を形成し、左の端縁ａ２で折り返して所定針分編み立てた後に空編状態で右に進む。この空編状態の間に第１編糸から第２編糸に切り換えて、編目始端ｓで編みを開始し、所定長さの編目３を形成して折り返し端ｔで左に折り返し、同じ第２編糸で所定長さの編目４を形成して編目３の編目始端ｓと同じ位置の編目終端ｅで編み終え、空編状態で左に進む。この空編状態の間に、既に形成した編目３のコースにおける第１編糸から第２編糸に切り換えた位置で数針分空編状態で針釜を回動させてから右に折り返し、第２編糸から第１編糸に切り換え、前の編目と編み重ねて、引き続き第１編糸で編み立てて編目１と同じ状態に戻り、これを繰り返す。追加編目４の編目終端ｅと次の追加編目（３）の編目始端ｓの間には、第２編糸の渡りが発生する。また、第３編目の第１編糸の終端と編目（１）の始端との間には、第１編糸の渡りが発生する。
【００３９】
このようにして、正逆転編の端縁から折り返して所定針分編み立てた後に空編状態で進み第２編糸で編みを開始する編目始端ｓと、編目始端ｓから編みを進めて折り返す折り返し端ｔと、折り返し端ｔからさらに編みを進めて編目始端ｓと同じところで編みを終了する編目終端ｅとを設け、これを繰り返す。これにより、複数の折り返し端ｔを結ぶ第１境界線ｘ１と、複数の編目始端ｓ及び編目終端ｅを結ぶ第１境界線ｘ２との間に、編目増加部分が形成される。この場合、編目増加部分以外の編目数と編目増加部分の編目数の比は、２：４である。２コース毎に２目の追加編目を有し、空編が少なく、生産性がよい。
【００４０】
図１３は、図９の糸換えなしの編目増加部分の編構造の編立パターンと同様であるが、編目増加部分の左側を第１編糸、編目増加部分を第２編糸、編目増加部分の右側を第３編糸で編み立てることにより、編目増加部分の機能性をアピールするものである。すなわち、編目１のコースでは、編目増加部分に入る位置（ｘ２）において第１の編糸から第２の編糸に糸換えし、編目増加部分から出る位置（ｘ１）において第２編糸から第３編糸に糸換えし、編目２のコースでは、編目増加部分に入る位置（ｘ１）において、第３編糸から第２編糸に糸換えし、同じ第２編糸で折り返し、編目３のコースでは、編目増加部分から出る位置（ｘ１）において第２編糸から第３編糸に糸換えし、編目４のコースでは、編目増加部分に入る位置（ｘ１）において第３編糸からから第２編糸に糸換えし、編目増加部分から出る位置（ｘ２）において第２編糸から第１編糸に糸換えし、編目５のコースでは、編目増加部分に入る位置（ｘ２）において、第１編糸から第２編糸に糸換えし、同じ第２編糸で折り返し、編目６のコースでは、編目増加部分から出る位置（ｘ２）において第２編糸から第１編糸に糸換えし、これを繰り返す。この場合、境界線ｘ２においては、編目１と４、編目５と６の間に第１編糸の渡りが発生し、編目４と５、編目６と（１）の間に第２編糸の渡りが発生する。境界線ｘ１においては、編目１と２、編目３と４の間に第２編糸の渡りが発生し、編目２と３、編目４と（１）の間に第３編糸の渡りが発生する。
【００４１】
図１４は、図１２の編目増加部分の編構造の編立パターンと同様であるが、図１３のように編目増加部分の左側を第１編糸、編目増加部分を第２編糸、編目増加部分の右側を第３編糸で編み立てることにより、編目増加部分の機能性をアピールするものである。すなわち、編目１のコースでは、編目増加部分に入る位置（ｘ２）において第１編糸から第２編糸に糸換えし、編目増加部分から出る位置（ｘ１）において第２編糸から第３編糸に糸換えし、編目２のコースでは、編目増加部分に入る位置（ｘ１）において、第３編糸から第２編糸に糸換えし、同じ第２編糸で折り返し、編目３のコースでは、同じ第２編糸で折り返し、編目４のコースでは、編目増加部分を出る位置（ｘ２）において第２編糸から第１編糸に糸換えし、これを繰り返す。この場合、境界線ｘ２においては、編目１と４の間に第１編糸の渡りが発生し、編目４と（１）の間に第２編糸の渡りが発生する。境界線ｘ１においては、編目１と２の間に第１編糸の渡りが発生し、編目２と（１）の間に第３編糸の渡りが発生する。
【００４２】
図１３と図１４では、説明をわかり易くするために、編目増加部分の編目を、編目増加部分以外と異なる色に編み立てることにより、編目増加部分の機能性をアピールすることにおいて説明したが、編目増加部分以外の部分と異なる編糸を編み込むことにより編目追加部分の機能そのものを異ならせることができることは言うまでもない。
【００４３】
図７から図１４で説明したように、編目増加部分を設ける位置とその目的に応じて、空編、折り返し、編糸の切り換えを行って、編目増加部分の編目の増加割合を調整したり、編糸の種類や色を同じにしたり、異ならせたり、任意に組み合わせることができる。また、図８で説明したように、図１０から図１４においても追加編目の編糸を切り換えた場合でも、極力編目を飛ばすことを避け、編目を飛ばすことがあっても最短距離で行われるので、目立たず、編み生地の伸縮についても最低限の影響に止めることができ、またこの編糸の渡りは、靴下を穿く方向にあるので爪等に引っ掛かることはない。さらに、編目始端ｓ及び編目終端ｅを編目増加部分の外側に１目ずらせば、編目を飛ばすことなく、従って糸の渡りもなく編目増加部分を形成することができ、編糸を切り換えても糸の渡りを最小限にすることができる。正逆転編においても、図７と同様に、編目増加部分をコース方向に２箇所又はそれ以上形成することができ、母趾と母趾以外の足指、又は母趾と他の４本の各足指の裏側部分に対応する２箇所、又は５か所の編目増加部分を形成することができる。
【００４４】
以上のように形成された編目増加部分は、追加編目により、コース方向及びウェール方向の両方に追加編目以外の部分との間に緩やかな段差が生じて隆起した状態になり、編み生地の量の差によって伸縮にも差が生じるので、母趾球、小趾球、アキレス腱などの足の踏ん張りに必要な部分を包み込んでホールドする編地構造となる。したがって、足と靴下の間だけでなく靴下と靴との間の滑りも減少し、足の踏ん張り性が高まる。
【００４５】
図１５は、５本の各足指の裏側部分に対応する部分に編目増加部分６ａ〜６ｅを有する靴下１を足に穿いた状態を示す。母趾、第２−４趾、小趾の各足指の裏側部分、母趾球及び小趾球は、足の踏ん張りに必要な部位であり、これらの部位に対応する部分に編目増加部分６ａ〜６ｅを有する。編目増加部分６ａ〜６ｅは、既に説明したように、周囲の生地より隆起した状態に形成され、編み生地の量の差によって伸縮にも差が生じるので、例えば足指部では、図１６（Ａ）に示すように、各足指の編目増加部分６ａ〜６ｅが各足指の裏側部分を包み込み、隣接する編目増加部分の間の部分が足指間に入り込むようになる。従来、図１６（Ｂ）に示すように、足指間で靴下２０の生地が突っ張った状態になっていたため、足指の裏側部分が横滑りしていたが、本発明では、編目の多い編目増加部分６ａ〜６ｅで足指の裏側部分が包まれるので、横滑りがなく、踏ん張りが効く。
【００４６】
図１７は、アキレス腱に対応する部分に編目増加部分９を有する本発明に係る靴下１の足に穿いた状態を示す。アキレス腱は、足の踏ん張り時に緊張する部位であり、この部位に対応する部分に編目増加部分９を有するので、従来のようにアキレス腱の両側で靴下の生地と皮膚との間に隙間が生じることはなく、アキレス腱を十分にサポートし、踏ん張り性を高める。
【符号の説明】
【００４７】
１  靴下
６，６ａ〜６ｅ  編目増加部分
７  編目増加部分
８  編目増加部分
９  編目増加部分
１０  編目増加部分
１３  追加編目
１４  段差
【図１】
0006707792.tif 000002
【図２】
0006707792.tif 000003
【図３】
0006707792.tif 000004
【図４】
0006707792.tif 000005
【図５】
0006707792.tif 000006
【図６】
0006707792.tif 000007
【図７】
0006707792.tif 000008
【図８】
0006707792.tif 000009
【図９】
0006707792.tif 000010
【図１０】
0006707792.tif 000011
【図１１】
0006707792.tif 000012
【図１２】
0006707792.tif 000013
【図１３】
0006707792.tif 000014
【図１４】
0006707792.tif 000015
【図１５】
0006707792.tif 000016
【図１６】
0006707792.tif 000017
【図１７】
0006707792.tif 000018